(57)【要約】【課題】端子の接触不良を防止するカメラモジュール用コネクタを提供する。【解決手段】  固体撮像素子と、固体撮像素子に光を導くレンズを有するレンズユニットと、固体撮像素子とレンズユニットが取り付けられるレンズホルダを有するカメラモジュールをコネクタボックス２３に収納接続し係止部材により係止するカメラモジュール用コネクタにおいて、カメラモジュール用コネクタ２０の内壁面に形成されてカメラモジュールの係止面２５に係止される係止部材２１と、この係止部材に併設して先端が折曲形成され先端部がカメラモジュールの係止面に係止される押圧部材２２を設けたものである。【選択図】  図１
2005073166.tif 000002
【特許請求の範囲】
【請求項１】
固体撮像素子と、該固体撮像素子に光を導くレンズを有するレンズユニットと、該レンズユニットと固体撮像素子が取り付けられるレンズホルダを有するカメラモジュールを、コネクタボックスに収納し係止部材により係止するカメラモジュール用コネクタにおいて、
前記コネクタ内壁面に形成されて前記カメラモジュールの係止面に係止される係止部材と、前記係止部材に併設され先端部が折曲されて前記カメラモジュールを底面に向け押圧するように前記カメラモジュールの係止面に係止される押圧部材と、を設けたことを特徴とするカメラモジュール用コネクタ。
【請求項２】
前記係止部材は、カメラモジュールの離脱を防止するランス（可動接片）で構成され前記カメラモジュール係止面に係止されて前記カメラモジュール側面を弾性力により水平方向へ押圧し、前記押圧部材は前記カメラモジュールを上下方向に底面に向け押圧することを特徴とする請求項１記載のカメラモジュール用コネクタ。
【発明の詳細な説明】
【技術分野】
【０００１】
本発明は、固体撮像素子を有するカメラモジュール用コネクタに関し、特に、カメラモジュールの接続を安定化するカメラモジュール用コネクタに関するものである。
【背景技術】
【０００２】
従来のＣＭＯＳカメラモジュールは、図４に示すカメラモジュールの外観図のように、カメラモジュール１はレンズホルダ３を有し、レンズホルダ３は略長方体形状をしたホルダーベース４と、ホルダーベース４の上面の中央部に設けられ、略中空円筒形状をしたレンズ接合部５とを有している。内部にはホルダベース４よりも小さい長方体形状のＣＭＯＳ等の固体撮像素子で構成されるセンサ６を収容している。又、レンズユニット２はレンズホルダ３のレンズ接合部５の外径と略同一の外径の略円筒形状をしており、ネジ型のはめこみ方式によってレンズホルダ３に接合するようになっている。
【０００３】
該カメラモジュール１は、先ず、レンズホルダ３の内部にセンサ６を接着固定して、レンズユニット２をレンズホルダ３の接合部５へ螺合しフオーカスを調整して接着剤を流し込みレンズユニット２をレンズホルダ３に固定する。なお、接合部５上に形成された突起８、８…は後から形成されて、シールドキャップ７を圧着固定しシールドを強化するものであるが、後述するようにカメラモジュール用コネクタを使用する場合は全体がシールドケースでシールドされるので、シールドキャップ７は無くても構わない。（例えば、特許文献１参照）
上記特許文献１に示すカメラモジュールは、コネクタの部分が省略されているが、図５にカメラモジュールを収納した従来のカメラモジュール用コネクタの１例を示す。該カメラモジュール用コネクタ１１は、図６（ａ）に示すようなコネクタピン１５ａ、１５ｂが装着されたコネクタボックス１３を、図６（ｂ）に示すようなシールドケース１４で被覆し電磁シールドを行い一体化して構成されている。この中にカメラモジュール１２が収納され固着される。
【０００４】
このような従来のカメラモジュール用コネクタ１１は、図７に示すように、コネクタボックス１３とカメラモジュール１２がピン１５ｂ、コンタクト１６により接続するように構成され、ロック機構としてはランス（可動接片）１７による嵌め殺し方式により係止・固定される。即ち、シールド・ケース１４で被覆された該カメラモジュール用コネクタ１１の端子がカメラモジュール用基板（図示せず）に実装され、該カメラモジュール用コネクタにカメラモジュール１２が収納されて、携帯電話機（図示せず）等に組込まれることになるが、その場合に外部からの衝撃等によってカメラモジュールが外れることがないよう開閉できないように完全ロックされる。
【特許文献１】特開２００３−１７２８５９号公報（第３、４頁、図１）
【発明の開示】
【発明が解決しようとする課題】
【０００５】
しかしながら、上記従来のカメラモジュール用コネクタは、図７に示すように、ランス（可動接片）１７による嵌め殺し方式（開閉不可の状態）で係止・固定されているために、両者間の左右（水平）方向の間隙は完全に塞がれ固定されるが、上下（高さ）方向の間隙は構造上から埋められず、それが原因となってカメラモジュール１２の上下動が発生し、ピン１５ｂとコンタクト１６の接続不良の状態が発生しやすくなり、鮮明な画像の撮像および画像転送ができなくなるという問題があった。
【０００６】
そこで、カメラモジュールをコネクタ側に係止・固定する際に、上下方向の間隙に基因して生じる上下動をなくして生産性の向上を計るために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、固体撮像素子と、該固体撮像素子に光を導くレンズを有するレンズユニットと、該レンズユニットと固体撮像素子が取り付けられるレンズホルダを有するカメラモジュールを、コネクタボックスに収納し係止部材により係止するカメラモジュール用コネクタにおいて、前記カメラモジュール用コネクタ内壁面に形成されて前記カメラモジュールの係止面に係止される係止部材と、前記係止部材に併設され先端部が折曲されて前記カメラモジュールを底面に向け押圧するように前記カメラモジュールの係止面に係止される押圧部材と、を設けたカメラモジュール用コネクタを提供するものである。
【０００８】
また、請求項２記載の発明は、前記係止部材は、カメラモジュールの離脱を防止するランス（可動接片）で構成され前記カメラモジュール係止面に係止されて前記カメラモジュール側面を弾性力により水平方向へ押圧し、前記押圧部材は、前記カメラモジュールを上下方向に底面に向け押圧するカメラモジュール用コネクタを提供するものである。
【０００９】
而して、本発明のカメラモジュール用コネクタは、コネクタ内壁面に形成されるランス（可動接片）に並べて、先端部が折曲され弾性力を付与された押圧部材を設け、前記カメラモジュールを水平方向および底面方向へ押圧するように構成したので、前記カメラモジュールとコネクタ間の上下の間隙が完全に塞がれ密着されるので、カメラモジュールの上下動は抑止されてピン、コンタクトの接触を良好な状態に保持できる。
【００１０】
あるいは、コネクタ内壁面に形成したランスを前記カメラモジュールの係止面に係止してその弾性力によりカメラモジュールを主に水平方向へ押圧し、該ランスに併設した押圧部材は、折曲部の先端を前記カメラモジュールの係止面に係止して、弾性力により前記カメラモジュールの係止面を上下方向に底面に向け押圧するように構成したので、前記カメラモジュールとコネクタ両者間の上下の間隙（ガタ）は完全に塞がれ、両者間のピン、コンタクトの接触を良好な状態に保持できる。
【発明の効果】
【００１１】
本願の請求項１記載の発明は、カメラモジュール用コネクタの内壁面に形成したランスに並べて、押圧部材を併設したので、該押圧部材によってカメラモジュールとカメラモジュール用コネクタ間の上下の間隙は塞がれ押圧・密着されて、カメラモジュールの上下動（ガタ）が完全に無くなりピン、コンタクトの接触が良好に保持され、カメラモジュールがカメラモジュール用コネクタ内に安定に保持されることによって、常に鮮明な撮像画像が得られるという利点がある。
【００１２】
また、請求項２記載の発明は、該ランスによってカメラモジュールを主に水平方向へ押圧し、一方、ハーフロック方式の押圧部材によってカメラモジュールを底面に向け押圧するので、カメラモジュールとコネクタ間の間隙を完全に無くして、請求項１と同様な効果を有すると共に、カメラモジュールと押圧部材間はハーフロックなので、着脱が可能になるという効果もある。
【発明を実施するための最良の形態】
【００１３】
以下、本発明の一実施の形態を図面に従って詳述する。
図１は、本発明の一実施の形態に係るカメラモジュール用コネクタの全体斜視図である。
図２は図１に示すカメラモジュール用コネクタのＡ−Ａ線断面図である。
図３は図１に示すカメラモジュール用コネクタのＢ−Ｂ線断面図である。
【００１４】
図１において、２０はカメラモジュール用コネクタであり、該カメラモジュール用コネクタ２０はコネクタピン１５ａ、１５ａ…、１５ｂ、１５ｂ…、を装着したコネクタボックス２３に、金属材より成るシールドケース２４を被覆・圧着して形成され、該カメラモジュール用コネクタ２０には、その上辺内壁面のコネクタピン１５ｂとコーナー間の空きスペースに、下方に向け前記シールドケース２４と同一部材を利用し突設させたピン形状の係止部材（ランス：可動接片）２１と、該ランス２１に並べて該ランスと同じピン形状に突設させ、且つ、先端部を下方に向け折曲させ下方への弾性力を付与された形状の押圧部材２２とを設け、２段ロックを構成している。
【００１５】
即ち、該カメラモジュール用コネクタ２０がカメラモジュール用基板（図示せず）へ実装される時等に、カメラモジュールが該カメラモジュール用コネクタ２０に収納・固着される際、図２に示すように、前記ランス２１がカメラモジュール１２の係止面２５に係止されて、該カメラモジュール１２本体を水平方向に強く押圧して完全ロックする。しかし、該ランス２１によるロック機構は構造上から水平方向への押圧力は強いが上下方向への押圧力はそれに比較して弱いので、該カメラモジュール用コネクタ２０と前記カメラモジュール１２との間の上下方向の間隙に基因する上下動（ガタ）が発生する虞がある。
【００１６】
而して、図３に示すように、ロック機構として先端部が略Ｓ字状に下方に向け折曲げ加工された押圧部材２２を前記ランス２１に併設し、該押圧部材２２の先端部を前記カメラモジュール１２の係止面２５に係止させることによって、該押圧部材２２は弾性力により先端面が前記係止面２５を下方に押圧して、該カメラモジュール１２を底面に向け押圧するので、該カメラモジュール１２とカメラモジュール用コネクタ２０間のガタは無くなり安定する。なお、押圧部材２２の形状については図３には略Ｓ字状の形状を図示しているが、これに限定するものでは無く、例えば、先端が図では左側へ向け折曲される逆くの字状などでもよく、ハーフロック状で下方向への押圧力が得られる形状ならば如何なる形状でも構わない。
【００１７】
このように、前記ランス２１と押圧部材２２による２段ロックとしたので、前記カメラモジュール１２とカメラモジュール用コネクタ２０の間の間隙は水平・上下方向ともに無くなりガタが抑止されて、前記カメラモジュール１２とカメラモジュール用コネクタ２０間のピン、コンタクトの接触が強固になり、カメラモジュール１２が該カメラモジュール用コネクタ２０内に安定に保持されるので、カメラモジュール用基板（図示せず）に該カメラモジュール用コネクタ２０を実装する際の作業性が向上し、常に、鮮明な撮像が可能なカメラモジュールが得られる。
【００１８】
尚、本発明は、本発明の精神を逸脱しない限り種々の改変を為すことができ、そして、本発明が該改変されたものに及ぶことは当然である。
【図面の簡単な説明】
【００１９】
【図１】本発明の一実施の形態に係るカメラモジュール用コネクタの全体斜視図
【図２】図１に示すカメラモジュール用コネクタのＡ−Ａ線断面図
【図３】図１に示すカメラモジュール用コネクタのＢ−Ｂ線断面図
【図４】従来のカメラモジュールの外観斜視図
【図５】従来のカメラモジュール用コネクタの全体斜視図
【図６】図５に示すカメラモジュール用コネクタの組立分解斜視図
【図７】図５に示すカメラモジュール用コネクタのロック機構を示す断面図
【符号の説明】
【００２０】
１２  カメラモジュール
２０  カメラモジュール用コネクタ
２１  ランス
２２  押圧部材
２３  コネクタボックス
２４  シールドケース
２５  係止面
【図１】
2005073166.tif 000003
【図２】
2005073166.tif 000004
【図３】
2005073166.tif 000005
【図４】
2005073166.tif 000006
【図５】
2005073166.tif 000007
【図６】
2005073166.tif 000008
【図７】
2005073166.tif 000009